【手続補正書】
【提出日】平成19年10月5日(2007.10.5)
【手続補正１】
【補正対象書類名】明細書
【補正対象項目名】特許請求の範囲
【補正方法】変更
【補正の内容】
【特許請求の範囲】
【請求項１】  身体の電気源を位置特定するための方法であって：
身体上に受動電極を配置すること；
身体内に少なくとも１つの活性電極を配置すること；
電気源から発する信号を受動電極から取得すること；
電気源の相対的な位置を決定するために、電気源から発する信号を処理すること；
少なくとも１つ活性電極に電気エネルギーを伝達すること；
少なくとも１つの活性電極から発する信号を受動電極から取得すること；
少なくとも１つの活性電極の相対的な位置を決めるために、少なくとも１つ活性電極から発する信号を処理すること；
電気源の位置特定をするために、少なくとも１つの活性電極を配置することを含む方法。
【請求項２】  身体の電気源を位置特定するための方法であって：
身体上に受動電極を配置すること；
身体上に少なくとも１つの活性電極を配置すること；
電気源から発する信号を受動電極から取得すること；
電気源の相対的な位置を決定するために、電気源から発する信号を処理すること；
少なくとも１つ活性電極に電気エネルギーを伝達すること；
少なくとも１つの活性電極から発する信号を受動電極から取得すること；
少なくとも１つの活性電極の相対的な位置を決めるために、少なくとも１つ活性電極から発する信号を処理すること；
電気源の位置特定をするために、少なくとも１つの活性電極を配置することを含む方法。
【請求項３】  身体の電気源を位置特定するための方法であって：
身体内に受動電極を配置すること；
身体上に少なくとも１つの活性電極を配置すること；
電気源から発する信号を受動電極から取得すること；
電気源の相対的な位置を決定するために、電気源から発する信号を処理すること；
少なくとも１つ活性電極に電気エネルギーを伝達すること；
少なくとも１つの活性電極から発する信号を受動電極から取得すること；
少なくとも１つの活性電極の相対的な位置を決めるために、少なくとも１つ活性電極から発する信号を処理すること；
電気源の位置特定をするために、少なくとも１つの活性電極を配置することを含む方法。
【請求項４】  身体の電気源を位置特定するための方法であって：
身体内に受動電極を配置すること；
身体内に少なくとも１つの活性電極を配置すること；
電気源から発する信号を受動電極から取得すること；
電気源の相対的な位置を決定するために、電気源から発する信号を処理すること；
少なくとも１つ活性電極に電気エネルギーを伝達すること；
少なくとも１つの活性電極から発する信号を受動電極から取得すること；
少なくとも１つの活性電極の相対的な位置を決めるために、少なくとも１つ活性電極から発する信号を処理すること；
電気源の位置特定をするために、少なくとも１つの活性電極を配置することを含む方法。
【請求項５】  配置ステップが少なくとも１つの活性電極と電気源の相対位置を近づけることを含む、請求項１、２、３または４に記載の方法。
【請求項６】  伝達ステップ、第２の取得ステップ、第２の処理ステップ、及び配置ステップが反復的に実施される請求項１、２、３または４に記載の方法。
【請求項７】  電気源が心臓にある、請求項１、２、３または４に記載の方法。
【請求項８】  電気源が不整脈の発生源の場所である、請求項７に記載の方法。
【請求項９】  第１の処理ステップが心周期中の複数の時間期に、電気源の相対位置を決めるために使用される、請求項７に記載の方法。
【請求項１０】  配置ステップが時間期の１つで電気源を位置特定する、請求項９に記載の方法。
【請求項１１】  時間期を選ぶために少なくとも１つの基準が使用される、請求項１０に記載の方法。
【請求項１２】  処理ステップの少なくとも１つが取得された信号を移動双極子モデルにフィットさせることを含む、請求項１、２、３または４に記載の方法。
【請求項１３】  第１の処理ステップがさらに電気源から発する信号を移動双極子にフィットさせることを含む、第２の処理ステップがさらに第１の処理ステップでフィットされた、移動双極子にほぼ平行な移動双極子の相対位置を決めることを含む、請求項１、２、３または４に記載の方法。
【請求項１４】  少なくとも１つの活性電極が複数の活性電極を備える、請求項１３に記載の方法。
【請求項１５】  請求項１、２、３または４に記載の方法を含む、電気源の場所の近傍に除去エネルギーを伝達するための方法であって、少なくとも１つの活性電極の場所の近傍への除去エネルギーの伝達をさらに含む方法。
【請求項１６】  除去エネルギーが無線周波数電気エネルギーである、請求項１５に記載の方法。
【請求項１７】  少なくとも１つの活性電極がカテーテルに配置されている、請求項１５に記載の方法。
【請求項１８】  除去エネルギーがカテーテルを介して伝達される、請求項１７に記載の方法。
【請求項１９】  電気源が脳内にある、請求項１、２、３または４に記載の方法。
【請求項２０】  受動電極の少なくとも１つが心臓内に配置される、請求項３または４に記載の方法。
【請求項２１】  電気源の相対位置の表示をさらに含む、請求項１、２、３または４に記載の方法。
【請求項２２】  電気源の大きさの測定、電気源の強度の測定、及び電気源の相対位置の不確定さの測定から成るグループから選択される、少なくとも１つの測定値の表示をさらに含む、請求項１、２、３または４に記載の方法。
【請求項２３】  身体の電気源を位置特定するための方法であって：
身体上に受動電極を配置すること；
身体内に少なくとも１つの活性電極を配置すること；
電気源から発する信号を受動電極から取得すること
心周期中の複数の時間期に電気源の相対的な位置を決定するために、電気源から発する信号を移動双極子モデルにフィットさせることを含む処理方法で処理すること；
少なくとも１つ活性電極に電気エネルギーを伝達すること；
少なくとも１つの活性電極から発する信号を受動電極から取得すること；
少なくとも１つの活性電極の相対的な位置を決めるために、少なくとも１つ活性電極から発する信号を移動双極子モデルにフィットさせることを含む処理方法で処理すること；
選択するために少なくとも１つの基準が使用される、少なくとも１つの時間期に電気源の位置特定を行うために少なくとも１つの活性電極を配置することを含み、
伝達ステップ、第２の取得ステップ、第２の処理ステップ、及び配置ステップが反復して実施される方法。
【請求項２４】  請求項２３に記載の方法を含む、電気源の場所の近傍に除去エネルギーを伝達するための方法であって、少なくとも１つの活性電極の場所の近傍への除去エネルギーの伝達をさらに含み、少なくとも１つの活性電極がカテーテルに配置され、除去エネルギーがカテーテルを介して伝達され、さらに電気源が心臓の不整脈の発生源の場所である方法。
【請求項２５】  身体内の電気源を位置特定するための装置であって：
身体上に配置するために適合した少なくとも１つの受動電極；
身体内に配置するために適合した少なくとも１つの活性電極；
少なくとも１つの活性電極に電気エネルギーを伝達するための信号発生器；及び、
電気源の相対的な位置及び、少なくとも１つの活性電極の相対的な位置を決定するために、電気源及び少なくとも１つの活性電極から発する信号を処理するためのコンピューターを備える装置。
【請求項２６】  身体内の電気源を位置特定するための装置であって：
身体上に配置するために適合した少なくとも１つの受動電極；
身体上に配置するために適合した少なくとも１つの活性電極；
少なくとも１つの活性電極に電気エネルギーを伝達するための信号発生器；及び、
電気源の相対的な位置及び、少なくとも１つの活性電極の相対的な位置を決定するために、電気源及び少なくとも１つの活性電極から発する信号を処理するためのコンピューターを備える装置。
【請求項２７】  身体内の電気源を位置特定するための装置であって：
身体内に配置するために適合した少なくとも１つの受動電極；
身体上に配置するために適合した少なくとも１つの活性電極；
少なくとも１つの活性電極に電気エネルギーを伝達するための信号発生器；及び、
電気源の相対的な位置及び、少なくとも１つの活性電極の相対的な位置を決定するために、電気源及び少なくとも１つの活性電極から発する信号を処理するためのコンピューターを備える装置。
【請求項２８】  身体内の電気源を位置特定するための装置であって：
身体内に配置するために適合した少なくとも１つの受動電極；
身体内に配置するために適合した少なくとも１つの活性電極；
少なくとも１つの活性電極に電気エネルギーを伝達するための信号発生器；及び、
電気源の相対的な位置及び、少なくとも１つの活性電極の相対的な位置を決定するために、電気源及び少なくとも１つの活性電極から発する信号を処理するためのコンピューターを備える装置。
【請求項２９】  電気源が心臓内にある、請求項２５、２６、２７または２８に記載の装置。
【請求項３０】  電気源が不整脈の発生源の場所である、請求項２９に記載の装置。
【請求項３１】  コンピューターが電気源から発する信号を移動双極子モデルにフィットさせる、請求項２５、２６、２７または２８に記載の装置。
【請求項３２】  コンピューターが少なくとも１つの活性電極から発する信号を移動双極子モデルにフィットさせる、請求項２５、２６、２７または２８に記載の装置。
【請求項３３】  コンピューターが受動電極から取得した信号を移動双極子モデルにフィットさせる、請求項２５、２６、２７または２８に記載の装置。
【請求項３４】  受動電極から取得した信号を分離するために分離増幅器；及び、
受動電極から取得した信号を増幅するための増幅器バンクをさらに備える、請求項２５、２６、２７または２８に記載の装置。
【請求項３５】  電気源から発する信号を識別するためにローパスフィルターをさらに備える、請求項２５、２６、２７または２８に記載の装置。
【請求項３６】  少なくとも１つの活性電極から発する信号を識別するためのロックイン増幅器をさらに備える、請求項２５、２６、２７または２８に記載の装置。
【請求項３７】  ディスプレイをさらに備える、請求項２５、２６、２７または２８に記載の装置。
【請求項３８】  請求項２５、２６、２７または２８に記載の装置を含む、電気源の位置の近傍に除去エネルギーを伝達するための装置であって、少なくとも１つの活性電極の近傍に伝達のための除去エネルギーの源をさらに備える装置。
【請求項３９】  カテーテルをさらに備える、請求項３８に記載の装置。
【請求項４０】  少なくとも１つの活性電極がカテーテルに配置されている、請求項３９に記載の装置。
【請求項４１】  除去エネルギーがカテーテルを介して伝達される、請求項４０に記載の装置。
【請求項４２】  除去エネルギーが無線周波数電気エネルギーである、請求項３８に記載の装置。
【請求項４３】  電気源が脳にある、請求項２５、２６、２７または２８に記載の装置。
【請求項４４】  請求項３３に記載の装置を含む、電気源の位置の近傍に除去エネルギーを伝達するための装置であって：
受動電極から取得した信号を分離するための分離増幅器；
受動電極から取得した信号を増幅するための増幅器バンク；
電気源から発する信号を識別するためのローパスフィルター；
少なくとも１つの活性電極から発する信号を識別するためのロックイン増幅器；
少なくとも１つの活性電極が配置されるカテーテル；
カテーテルを介して、少なくとも１つの活性電極の近傍に伝達するための除去エネルギーの源；及び、
ディスプレイを備える装置。